(57)【要約】【課題】送風路内に噴霧し加湿を行う浴室サウナ装置において、比較的簡便な構成により、浴室内に大径の水滴を吹出すことなく効率的な加湿を行うことのできることを目的とする。【解決手段】浴室の空気を吸引するための吸込口１０３と、吸引した空気を搬送するための送風路１０４と、浴室内の空気を吸引、送風するためのクロスフローファン１０７と、送風路１０４内を通過する空気を加湿するための加湿部１５と、加湿された空気を浴室に噴出するための吹出口１０２を設けた浴室サウナ装置１において、加湿部１５内に設けられた噴出ノズル１０５からの噴霧方向と送風路１０４内を通過する空気の送風方向を特定の方向に設定することで、比較的簡便な構成で浴室内に大径の水滴を吹出すこと無く、且つ十分な加湿量を得ることのできる浴室サウナ装置１が得られる。【選択図】図１
2007089752.tif 000002
【特許請求の範囲】
【請求項１】
浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方式であり、前記送風路内を空気が概略鉛直下方に通風するように構成し、前記加湿水の噴霧方向を概略鉛直下方にしたことを特徴とする浴室サウナ装置。
【請求項２】
加湿手段より噴霧される加湿水が温水であることを特徴とする請求項１記載の浴室サウナ装置。
【請求項３】
送風路内に空気を加熱するための加熱手段を設け、前記加熱手段により加熱した空気に加湿水を噴霧することを特徴とする請求項１または２に記載の浴室サウナ装置。
【請求項４】
吹出口より浴室に吹出される加湿空気内部に含まれる水滴の水滴径が１００μｍ以下であることを特徴とする請求項１、２または３に記載の浴室サウナ装置。
【請求項５】
浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方式であり、前記送風路内を空気が概略鉛直下方に通風するように構成し、前記加湿水の噴霧方向を概略鉛直上方にしたことを特徴とする浴室サウナ装置。
【請求項６】
加湿手段より噴霧される加湿水が温水であることを特徴とする請求項５記載の浴室サウナ装置。
【請求項７】
送風路内に空気を加熱するための加熱手段を設け、前記加熱手段により加熱した空気に加湿水を噴霧することを特徴とする請求項５または６に記載の浴室サウナ装置。
【請求項８】
吹出口より浴室に吹出される加湿空気内部に含まれる水滴の水滴径が１００μｍ以下であることを特徴とする請求項５、６または７に記載の浴室サウナ装置。
【請求項９】
浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方式であり、前記送風路内を空気が概略鉛直上方に通風するように構成し、前記加湿水の噴霧方向を概略鉛直上方にしたことを特徴とする浴室サウナ装置。
【請求項１０】
加湿手段より噴霧される加湿水が温水であることを特徴とする請求項９記載の浴室サウナ装置。
【請求項１１】
送風路内に空気を加熱するための加熱手段を設け、前記加熱手段により加熱した空気に加湿水を噴霧することを特徴とする請求項９または１０に記載の浴室サウナ装置。
【請求項１２】
吹出口より浴室に吹出される加湿空気内部に含まれる水滴の水滴径が１００μｍ以下であることを特徴とする請求項９、１０または１１に記載の浴室サウナ装置。
【請求項１３】
浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方式であり、前記送風路内を空気が概略鉛直上方に通風するように構成し、前記加湿水の噴霧方向を概略鉛直下方にしたことを特徴とする浴室サウナ装置。
【請求項１４】
加湿手段より噴霧される加湿水が温水であることを特徴とする請求項１３記載の浴室サウナ装置。
【請求項１５】
送風路内に空気を加熱するための加熱手段を設け、前記加熱手段により加熱した空気に加湿水を噴霧することを特徴とする請求項１３または１４に記載の浴室サウナ装置。
【請求項１６】
吹出口より浴室に吹出される加湿空気内部に含まれる水滴の水滴径が１００μｍ以下であることを特徴とする請求項１３、１４または１５に記載の浴室サウナ装置。
【発明の詳細な説明】
【技術分野】
【０００１】
本発明は、浴室内を加熱及び加湿することにより、浴室内をサウナ空間とする浴室サウナ装置に関する。
【背景技術】
【０００２】
従来、この種の浴室サウナ装置は、浴室内に設けた吹出口と吸気口を送風路で連通連結し、送風路内に噴霧手段を臨ませ温水を噴出させることで浴室内に加温加湿空気を供給する方法が知られている（例えば、特許文献１参照）。
【０００３】
以下、その浴室サウナ装置について図１１を参照しながら説明する。
【０００４】
図に示すように、この浴室サウナ装置は浴室１０１内に吹出口１０２および吸込口１０３を設け、吸込口１０３を送風路１０４で吹出口１０２に連通連結し、送風路１０４内に噴出ノズル１０５を臨ませ、噴出ノズル１０５を給湯器１０６に接続し、吸込口１０３にクロスフローファン１０７を介在させた構成とされている。
【０００５】
送風路１０４内に備えている温気発生装置１０８はケース本体１０９内に吸気連通口１１０と吹出連通口１１１と排水部１１２を設け、それぞれの吸気連通口１１０及び吹出連通口１１１を送風路１０４の吸気側及び吹出側に連通し、ケース本体１０９内に複数の通気案内板１１３を配置して迂回混合室１１４を形成し、吸気連通口１１０と吹出連通口１１１とを迂回混合室１１４を介して連通するとともに迂回混合室１１４の吸気連通口１１０寄りに噴出ノズル１０５を臨ませている。
【０００６】
このように構成された浴室サウナ装置では、噴出ノズル１０５で噴出された温水噴霧が迂回混合室１１４内で空気と混合され、加湿加温された温気となり、吹出口１０２より浴室１０１内へ送り込まれる。
【特許文献１】特開平２−２６４６５９号公報（第１−４頁、第１図）
【発明の開示】
【発明が解決しようとする課題】
【０００７】
このような従来の浴室サウナ装置では、送風路内に噴霧し加湿を行う場合、比較的大系の水滴が残留し、効率的な加湿が行えず、有効な加湿量を得ることができないという課題があり、より微細な水滴を生成し、より多く送り出すことが要求されている。
【０００８】
また、吹出口から大径の水滴が噴出することで入浴者に不快感を与えてしまうという課題があり、この大径の水滴の発生を抑制するかまたは効率よく回収することが要求されている。従来の構成においてはこのような課題を解決するために大掛かりな通気案内板を複数設置するなどの対策がとられていたが、通気抵抗が増大するまたは構成が複雑になってしまうという新たな課題が生じてしまう。
【０００９】
本発明は上記課題を解決するものであり、送風路内に噴霧して加湿を行う場合においても比較的小さな水滴を生成し加湿量の増加を図るとともに、比較的簡便な構成で浴室内に大径の水滴を吹出すことの無い浴室サウナ装置を得ることを目的としている。
【課題を解決するための手段】
【００１０】
上記目的を達成するために本発明が講じた第一の解決手段は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直下方に通風するように構成し、前記加湿水の噴霧方向を概略鉛直下方にしたものである。
【００１１】
この手段により、噴霧された水滴の移動方向が大きく変化しないため、噴出ノズルから噴霧された微細な水滴同士が近接することなく送風路を移動し、個々の水滴を再接触させることなく吹出口まで運ぶことができるため、微細形状を維持したまま吹出すことが可能となる。
【００１２】
また、本発明が講じた第二の解決手段は、加湿手段より噴霧する加湿水を温水にしたものである。
【００１３】
この手段により、噴霧された加湿水が気化する際の気化潜熱を水滴に与えておくことで蒸発が促進されるため、有効な加湿量を増加させることができる。
【００１４】
また、本発明が講じた第三の解決手段は、送風路内に空気を加熱するための加熱手段を設け、加熱手段により加熱した空気に加湿水を噴霧するようにしたものである。
【００１５】
この手段により、噴霧された加湿水が気化する際の気化潜熱を空気に与えておくことで蒸発が促進されるため、有効な加湿量を増加させることができる。この手段により、有効な加湿量を増加させることができる。
【００１６】
また、本発明が講じた第四の解決手段は、吹出口より浴室に吹出される加湿空気内部に含まれる水滴の水滴径を１００μｍ以下にしたものである。
【００１７】
この手段により、浴室サウナ装置から吹出される水滴によって入浴者が不快感を感じるのを抑制することができる。
【００１８】
また、本発明が講じた第五の解決手段は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直下方に通風するように構成し、前記加湿水の噴霧方向を概略鉛直上方にしたものである。
【００１９】
この手段により、空気と水滴の相対速度が高まることで水滴の持つエネルギーが増大し、より微細な水滴へと分離することが可能となる。また、空気と水滴を対向させることにより熱交換率も高くなり、且つ微細な水滴に破砕したために水滴の表面積も増大するため、水滴が蒸発しやすくなり、加湿量を増加させやすくなる。
【００２０】
また、本発明が講じた第六の解決手段は、加湿手段より噴霧する加湿水を温水にしたものである。
【００２１】
この手段により、噴霧された加湿水が気化する際の気化潜熱を水滴に与えておくことで蒸発が促進されるため、有効な加湿量を増加させることができる。
【００２２】
また本発明が講じた第七の解決手段は、送風路内に空気を加熱するための加熱手段を設け、加熱手段により加熱した空気に加湿水を噴霧するようにしたものである。
【００２３】
この手段により、噴霧された加湿水が気化する際の気化潜熱を空気に与えておくことで蒸発が促進されるため、有効な加湿量を増加させることができる。
【００２４】
また、本発明が講じた第八の解決手段は、吹出口より浴室に吹出される加湿空気内部に含まれる水滴の水滴径を１００μｍ以下にしたものである。
【００２５】
この手段により、浴室サウナ装置から吹出される水滴によって入浴者が不快感を感じるのを抑制することができる。
【００２６】
また、本発明が講じた第九の解決手段は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直上方に通風するように構成し、前記加湿水の噴霧方向を概略鉛直上方にしたものである。
【００２７】
この手段により、噴霧された水滴の移動方向が大きく変化しないため、噴出ノズルから噴霧された微細な水滴同士が近接し合わずに送風路を移動し、個々の水滴を再接触させることなく吹出口まで運ぶことができるため、微細形状を維持したまま吹出すことが可能となる。また、大径な水滴は重力により送風路内の空気の送風方向に逆らい概略鉛直下方向に落下し排水部へと向かうため、ある程度微細な水滴のみを吹出口より噴出することができる。
【００２８】
また、本発明が講じた第十の解決手段は、加湿手段より噴霧する加湿水を温水にしたものである。
【００２９】
この手段により、噴霧された加湿水が気化する際の気化潜熱を水滴に与えておくことで蒸発が促進されるため、有効な加湿量を増加させることができる。
【００３０】
また、本発明が講じた第十一の解決手段は、送風路内に空気を加熱するための加熱手段を儲け、加熱手段により加熱した空気に加湿水を噴霧するようにしたものである。
【００３１】
この手段により、噴霧された加湿水が気化する際の気化潜熱を空気に与えておくことで蒸発が促進されるため、有効な加湿量を増加させることができる。
【００３２】
また、本発明が講じた第十二の解決手段は、吹出口より浴室に吹出される加湿空気内部に含まれる水滴の水滴径を１００μｍ以下にしたものである。
【００３３】
この手段により、浴室サウナ装置から吹出される水滴によって入浴者が不快感を感じるのを抑制することができる。
【００３４】
また、本発明が講じた第十三の解決手段は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直上方に通風するように構成し、前記加湿水の噴霧方向を概略鉛直下方にしたものである。
【００３５】
この手段により、空気と水滴の相対速度が高まることで水滴の持つエネルギーが増大し、より微細な水滴へと分離することが可能となる。また、空気と水滴を対向させることにより熱交換率も高くなり、且つ微細な水滴に破砕したために水滴の表面積も増大するため、水滴が蒸発しやすくなり、加湿量を増加させやすくなる。また、大径な水滴は重力により送風路内の空気の送風方向に逆らい概略鉛直下方向に落下し排水部へと向かうため、ある程度微細な水滴のみを吹出口より噴出することができる。
【００３６】
また、本発明が講じた第十四の解決手段は、加湿手段より噴霧する加湿水を温水にしたものである。
【００３７】
この手段により、噴霧された加湿水が気化する際の気化潜熱を水滴に与えておくことで蒸発が促進されるため、有効な加湿量を増加させることができる。
【００３８】
また本発明が講じた第十五の解決手段は、送風路内に空気を加熱するための加熱手段を儲け、加熱手段により加熱した空気に加湿水を噴霧するようにしたものである。
【００３９】
この手段により、噴霧された加湿水が気化する際の気化潜熱を空気に与えておくことで蒸発が促進されるため、有効な加湿量を増加させることができる。
【００４０】
また本発明が講じた第十六の解決手段は、吹出口より浴室に吹出される加湿空気内部に含まれる水滴の水滴径を１００μｍ以下にしたものである。
【００４１】
この手段により、浴室サウナ装置から吹出される水滴によって入浴者が不快感を感じるのを抑制することができる。
【発明の効果】
【００４２】
本発明によれば送風路内に噴霧し加湿を行う場合においても比較的小さな水滴を生成し加湿量の増加を図るとともに、比較的簡便な構成で浴室内に大径の水滴を吹出することの無い浴室サウナ装置を提供できる。
【発明を実施するための最良の形態】
【００４３】
本発明の請求項１記載の発明は、室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直下方に通風するように構成し、前記加湿水の噴霧方向を概略鉛直下方にしたものであり、この手段により、噴霧された水滴の移動方向が大きく変化しないため、噴出ノズルから噴霧された微細な水滴同士が近接することなく送風路を移動し、個々の水滴を再接触させることなく吹出口まで運ぶことができるため、微細形状を維持したまま吹出すことが可能となるという作用を有する。
【００４４】
また、本発明の請求項２記載の発明は、加湿手段より噴霧する加湿水を温水にしたものであり、この手段により、噴霧された加湿水が気化する際の気化潜熱を水滴に与えておくことで蒸発が促進されるため、有効な加湿量を増加させることができる。
【００４５】
また、本発明の請求項３記載の発明は、送風路内に空気を加熱するための加熱手段を設け、加熱手段により加熱した空気に加湿水を噴霧するようにしたものであり、この手段により、噴霧された加湿水が気化する際の気化潜熱を空気に与えておくことで蒸発が促進されるため、有効な加湿量を増加させることができる。この手段により、有効な加湿量を増加させることができる。
【００４６】
また、本発明の請求項４記載の発明は、吹出口より浴室に吹出される加湿空気内部に含まれる水滴の水滴径が１００μｍ以下にしたものであり、この手段により、浴室サウナ装置から吹出される水滴によって入浴者が不快感を感じるのを抑制することができる。
【００４７】
また、本発明の請求項５記載の発明は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直下方に通風するように構成し、前記加湿水の噴霧方向を概略鉛直上方にしたものであり、この手段により、空気と水滴の相対速度が高まることで水滴の持つエネルギーが増大し、より微細な水滴へと分離することが可能となる。また、空気と水滴を対向させることにより熱交換率も高くなり、且つ微細な水滴に破砕したために水滴の表面積も増大するため、水滴が蒸発しやすくなり、加湿量を増加させやすくなる。
【００４８】
また、本発明の請求項６記載の発明は、加湿手段より噴霧する加湿水を温水にしたものであり、この手段により、噴霧された加湿水が気化する際の気化潜熱を水滴に与えておくことで蒸発が促進されるため、有効な加湿量を増加させることができる。
【００４９】
また、本発明の請求項７記載の発明は、送風路内に空気を加熱するための加熱手段を儲け、加熱手段により加熱した空気に加湿水を噴霧するようにしたものであり、この手段により、噴霧された加湿水が気化する際の気化潜熱を空気に与えておくことで蒸発が促進されるため、有効な加湿量を増加させることができる。
【００５０】
また、本発明の請求項８記載の発明は、吹出口より浴室に吹出される加湿空気内部に含まれる水滴の水滴径が１００μｍ以下であることを特徴としたものであり、この手段により、浴室サウナ装置から吹出される水滴によって入浴者が不快感を感じるのを抑制することができる。
【００５１】
また、本発明の請求項９記載の発明は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直上方に通風するように構成し、前記加湿水の噴霧方向を概略鉛直上方にしたものであり、この手段により、噴霧された水滴の移動方向が大きく変化しないため、噴出ノズルから噴霧された微細な水滴同士が近接し合わずに送風路を移動し、個々の水滴を再接触させることなく吹出口まで運ぶことができるため、微細形状を維持したまま吹出すことが可能となる。また、大径な水滴は重力により送風路内の空気の送風方向に逆らい概略鉛直下方向に落下し排水部へと向かうため、ある程度微細な水滴のみを吹出口より噴出することができる。
【００５２】
また、本発明の請求項１０記載の発明は、加湿手段より噴霧する加湿水を温水にしたものであり、この手段により、噴霧された加湿水が気化する際の気化潜熱を水滴に与えておくことで蒸発が促進されるため、有効な加湿量を増加させることができる。
【００５３】
また、本発明の請求項１１記載の発明は、送風路内に空気を加熱するための加熱手段を儲け、加熱手段により加熱した空気に加湿水を噴霧するようにしたものであり、この手段により、噴霧された加湿水が気化する際の気化潜熱を空気に与えておくことで蒸発が促進されるため、有効な加湿量を増加させることができる。
【００５４】
また、本発明の請求項１２記載の発明は、吹出口より浴室に吹出される加湿空気内部に含まれる水滴の水滴径が１００μｍ以下であることを特徴としたものであり、この手段により、浴室サウナ装置から吹出される水滴によって入浴者が不快感を感じるのを抑制することができる。
【００５５】
また、本発明の請求項１３記載の発明は、浴室の空気を吸引するための吸込口と、吸引した空気を搬送するための送風路と、浴室内の空気を吸引、送風するための送風手段と、前記送風路内を通過する空気を加湿するための加湿手段と、加湿された空気を浴室に噴出するための吹出口を設けた浴室サウナ装置において、前記加湿手段は、前記送風路内を通過する空気に加湿水を噴霧することで空気を加湿する方法であり、前記送風路内を空気が概略鉛直上方に通風するように構成し、前記加湿水の噴霧方向を概略鉛直下方にしたものであり、この手段により、空気と水滴の相対速度が高まることで水滴の持つエネルギーが増大し、より微細な水滴へと分離することが可能となる。また、空気と水滴を対向させることにより熱交換率も高くなり、且つ微細な水滴に破砕したために水滴の表面積も増大するため、水滴が蒸発しやすくなり、加湿量を増加させやすくなる。また、大径な水滴は重力により送風路内の空気の送風方向に逆らい概略鉛直下方向に落下し排水部へと向かうため、ある程度微細な水滴のみを吹出口より噴出することができる。
【００５６】
また、本発明の請求項１４記載の発明は、加湿手段より噴霧する加湿水を温水にしたものであり、この手段により、噴霧された加湿水が気化する際の気化潜熱を水滴に与えておくことで蒸発が促進されるため、有効な加湿量を増加させることができる。
【００５７】
また、本発明の請求項１５記載の発明は、送風路内に空気を加熱するための加熱手段を儲け、加熱手段により加熱した空気に加湿水を噴霧するようにしたものであり、この手段により、噴霧された加湿水が気化する際の気化潜熱を空気に与えておくことで蒸発が促進されるため、有効な加湿量を増加させることができる。
【００５８】
また、本発明の請求項１６記載の発明は、吹出口より浴室に吹出される加湿空気内部に含まれる水滴の水滴径が１００μｍ以下であることを特徴としたものであり、この手段により、浴室サウナ装置から吹出される水滴によって入浴者が不快感を感じるのを抑制することができる。
【００５９】
以下、本発明の実施の形態について図面を参照しながら説明する。
【００６０】
（実施の形態１）
以下、本発明の実施の形態１について図面を参照しながら説明する。なお、従来の例と同一部分については同一の符号を用い、詳細な説明は省略する。
【００６１】
まず本発明における浴室サウナ装置の概略構成について説明する。
【００６２】
図１は本発明の実施の形態における浴室サウナ装置の概略構成を示す簡易的な分解図である。図１に示すように、この浴室サウナ装置１は外郭を形成する外装体２及びフロントパネル３、浴室内の空気を吸込み加熱加湿した後に再び浴室内に吹出すサウナモジュール４、プレート熱交換器５を含む熱供給部６、外装体２の一面に設けられ、送風路と連通する開口部７に接続された換気ユニット８、またこれらを制御する制御装置９から構成されている。以下にそれぞれの具体的な構成について記す。
【００６３】
図２に示すように外装体２の浴室側一面を形成するフロントパネル３は、浴室内の空気を吸込むための吸込口１０３、加熱及び加湿した空気を浴室サウナ装置１の外部に吹出すための吹出口１０２を備えている。また、吸込口１０３のサウナモジュール４側にはフィルタ１０を備えており、浴室内空気を循環させる際に微細な塵や埃の侵入を防止する構造となっている。また、吹出口１０２部には加熱加湿された空気の吹出方向を可変させるためのルーバ１１が設けられており、ルーバ１１は制御装置９に接続されたルーバ駆動用モータ１２により自在に稼動することで任意の方向に吹出方向を可変させることができる。
【００６４】
図３に示すようにサウナモジュール４内には、フロントパネル３の吸込口１０３および吹出口１０２を連結する送風路１０４が設けられており、送風路１０４の吸込口１０３側に備えられた、制御装置９により回転数を自在に変更可能なモータ１３に接続された送風手段としてのクロスフローファン１０７が回転することでサウナモジュール４内に空気を送風する。クロスフローファン１０７の上流側には加熱手段としての空気加熱用の熱交換器であるコイル１４を備えており、このコイル１４に熱供給部６より温水を供給することでコイル１４を通って浴室から流入する空気が加温され、高温の空気を送風することが可能となる。送風路１０４内のクロスフローファン１０７の下流側には加湿部１５が設けられている。加湿部１５に設けられた加湿手段としての噴出ノズル１０５に熱供給部６より温水（例えば４０〜８０℃）を供給し、供給された温水を噴出ノズル１０５から微細な水滴として噴霧する。本実施の形態においては、送風路１０４を送風方向が概略鉛直下方に通風するように構成し、噴出ノズル１０５を噴出ノズル１０５から噴霧する温水の噴霧方向が概略鉛直下方になるように設置している。ここでの概略鉛直下方とは、鉛直方向に対して４５°以内であることを意味する。この設置方向によると、噴霧された水滴の移動方向が大きく変化しないため、噴出ノズル１０５から噴霧された微細な水滴同士が近接することなく送風路１０４を移動し、個々の水滴を再接触させることなく吹出口１０２まで運ぶことができるため、微細形状を維持したまま吹出すことが可能となる。この時、噴霧方向前方に噴霧水滴破砕手段１６を設け、噴霧された水滴を噴霧水滴破砕手段１６を用いてさらに微細な形状へと変化させる。ここで微細な水滴（例えば水滴径１００μｍ以下）に関しては送風する空気とともに吹出口１０２に運ばれ浴室内を加湿し、微細な水滴に破砕することができなかった水滴に関しては、排水部１１２へと向かう。送風空気とともに運ばれる微細な水滴の中でも、比較的水滴径が大なる水滴（例えば水滴径１０〜１００μｍ）に関しては加湿部１５の吹出口１０２側に設けられたエリミネータ１７で回収され、排水部１１２へと向かう。エリミネータ１７を通過した微細な水滴（水滴径１０μｍ以下）はコイル１４により加熱された空気とともに吹出口１０２より浴室に供給され、浴室内を加熱加湿する。エリミネータ１７は粗いメッシュ状の素材で構成されており、従来の通気案内板１１３を用いた蛇行風路のような大掛かりな構成を必要とせず、且つ圧力損失も比較的小さくできる。排水部１１２に向かった水分は排水部１１２に連結されている排水管１８を通り装置外部に排水される。排水部１１２は加湿部１５の最下部に設けられるとともに、底面に排水管接続部が最下端となるように勾配を持たせており、加湿部内に余剰水を滞留させないようにしてある。この際、底面の排水勾配は角度が大きければ大きいほど良いが、望ましくは５°以上の勾配を確保することによって、加湿部内の余剰水を確実に排水することが可能となる。これと同様に、装置外部に接続される排水管１８も同等の５°以上の勾配を確保して設置することで装置内への余剰水の滞留を防止することができる。また、排水部１１２にはフロートスイッチ１９を備えており、排水部１１２の水位上昇を検知し、所定の水位を超えた場合には制御装置９が噴出ノズル１０５への給水を停止することで加湿部１５からの漏水を防止する。
【００６５】
図５に示す熱供給部６において、熱源より供給された循環温水は、分岐部２０により加熱用温水循環回路２１と加湿用温水循環回路２２の二つの経路に分岐される。加熱用温水循環回路２１はコイル１４に接続されコイル１４を加温する。コイル１４は図６に示すように、加熱用温水循環回路２１から供給された加熱用循環温水を流通させる通水管２７と、通水管２７外壁部に設けられた伝熱用フィン２８から構成され、通水管２７内を流通する高温の加熱用循環温水により伝熱用フィン２８を加熱し、伝熱用フィン２８部に空気を流通させることで空気と熱交換を行い空気を加熱する。加湿用温水循環回路２２はプレート熱交換器５に接続されプレート熱交換器５を加温する。プレート熱交換器５は図７に示すように、伝熱壁２９によって遮られた高温側経路３０と低温側経路３１の２つの経路を交互に配置して構成され、加湿用循環温水を高温側経路３０に流通させるとともに低温側経路３１に加湿に使用する加湿水を対向する方向に流通させることで伝熱壁２９を通じて熱交換を行い低温側の液体を加熱する。コイル１４及びプレート熱交換器５を出た循環温水は再び加熱用温水循環回路２１及び加湿用温水循環回路２２を経て、合流部２４へと流入し、一つの経路に合流した循環温水は熱源へと戻り、再び加熱されて供給を繰り返す。液体供給手段より供給された水道水は、給水経路２３を通りプレート熱交換器５の低温側経路３１に接続する。プレート熱交換器５を出た水道水は再び給水経路２３を経て噴出ノズル１０５へと流入する。熱交換し高温となった給水経路２３の水道水は噴出ノズル１０５から噴霧され微細な温水滴となり、加温された浴室内空気とともに浴室内に吹出する。加熱用温水循環回路２１を経てコイル１４に流入した温水は、コイル１４内部においてクロスフローファン１０７により送風路１０４を通風する浴室内空気と熱交換を行う。熱交換し高温となった浴室内空気を浴室に再び吹出することで、浴室内を加温する。また、加熱用温水循環回路２１および加湿用温水循環回路２２の２つの流路には流通を遮断するための熱動弁２５を設け、コイル１４及びプレート熱交換器５に流入する循環温水の流量を調節することで、加熱及び加湿量を変更可能にする。熱動弁２５とは電力を供給することで弁体に連結された弁支持体の温度を上昇させ、弁支持体を膨張変形させることで弁の開閉を行う方式の弁である。また、給水経路２３上のプレート熱交換器５上流側には電磁弁２６を設け、給水を開閉制御することで加湿水の供給量を変更可能にする。電磁弁２６とは電気信号により電磁力を利用した弁が開閉する方式の弁である。
【００６６】
図８に示す換気ユニット８は、浴室内空気を換気ユニット８に吸込むための換気用ファン３２と空気の排気経路である排気ダクト３３から構成されており、外装体２の一面に設けられた開口部７とこの開口部７の開口面積を可変させるためのダンパ３４を介して接続している。ダンパ３４は通常サウナ運転時には閉じられているが、制御装置９に接続されたダンパ駆動用モータ３５により開閉可能であり、換気用ファン３２を回転させるとともにダンパ３４を開くことで浴室内空気を吸込口１０３より換気ユニット８内に通風し、排気ダクト３３より吹出することで浴室内の換気を行う。換気量の調整はダンパ３４の開口面積の変更及び換気用ファン３２の回転数制御により行い、これらの組み合わせにより必要とする換気量を実現する。
【００６７】
サウナ運転を開始すると、サウナモジュール４内のモータ１３が作動することでクロスフローファン１０７が回転し、吸込口１０３より浴室内の空気を吸入し、送風路１０４を通り吹出口１０２から再び浴室内に流出することで浴室内空気を循環する。その時、加熱用温水循環回路２１および加湿用温水循環回路２２の開閉手段である熱動弁２５、及び給水経路２３の開閉手段である電磁弁２６が開かれ、装置内において加熱及び加湿が開始する。この際、フロントパネル３に設けてあるルーバ１１が開放し、加熱加湿された空気の吹出方向を制御する。ある程度時間経過し、浴室内の温湿度が所定の値に達したら、モータ１３の回転数を変更し、加熱及び加湿量を変更する。その後、更にある程度時間経過し浴室内の温湿度が所定の値を超えたら、浴室内の温湿度を調節するためにモータ１３の回転数を変更し、加熱用温水循環回路２１及び加湿用温水循環回路２２に備えられた熱動弁２５及び給水経路２３に設けられた電磁弁２６の開閉繰り返すことで浴室内の温湿度の制御を行う。サウナ運転停止時には、サウナモジュール４内モータ１３の運転を停止し、加熱用温水循環回路２１及び加湿用温水循環回路２２に備えられた熱動弁２５及び給水経路２３に設けられた電磁弁２６を閉じる。その後、浴室内の乾燥のために換気運転を行うため、外装体２と換気ユニット８の連結部に設けられたダンパ３４を開き、換気ユニット８内の換気用ファン３２を回転させることで浴室サウナ装置１の吸込口１０３より流入した浴室内空気を排気ダクト３３より浴室外へと排出する。
【００６８】
前述したような動作を実施することでサウナ対象室（浴室）内は高温高湿（４０℃／８０％程度）の状態となり、入浴者に発汗を促す程度のミストサウナ状態とすることが可能となる。また、本実施の形態の様な構成で加湿部１５を形成することにより、従来の蛇行風路の様な大掛かりな構成を組まなくとも、送風路１０４内で大径な水滴は回収し、比較的小径な水滴のみを浴室内に吹出すことが可能となる。
【００６９】
なお、本実施の形態においてはサウナ対象室を浴室として説明をしたが、高湿度空間になった場合の結露等の問題を解決できるのであれば浴室に限定するものではなく、サウナ専用の空間を別途設ける構成としてもその作用効果に差異を生じない。
【００７０】
また、本実施の形態においてのクロスフローファン１０７を駆動するモータ１３は制御装置９により回転数を自在に変更可能なモータ１３を用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【００７１】
また、本実施の形態においてはクロスフローファン１０７を用いて送風路１０４内に浴室内の空気を送風したが、風量や消費電力、騒音や振動等の条件を満足するのであればシロッコファン、ターボファン、プロペラファンなどの別方式のファンであっても問題なく、その作用効果に差異を生じない。
【００７２】
また、本実施の形態においては送風空気を加温する手段としてフィンチューブ式のコイル１４を用いたが、送風空気を充分に加温できるのであれば他の加温手段を用いても全く問題は無く、クロスフローファン１０７の前方にヒータ、その他の熱源体を用いても、その作用効果に差異を生じない。
【００７３】
また、本実施の形態においては加湿部１５において温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるように噴出ノズル１０５より噴出する加湿水の温度を適宜設定することが望ましい。
【００７４】
また、本実施の形態において噴霧水滴破砕手段１６は特に説明はしなかったが噴霧後の微細水滴をさらに細かく破砕するための手段であり、噴出ノズル１０５から噴霧された推進力を持った微細な水滴を回転体や形状を凸凹にした壁面、また材質を考慮した壁面に水滴を噴霧する方法により水滴を細かく破砕する手段であれば良く、その形状や材質等を限定するものではない。なお望ましくは、噴霧水破砕手段への水滴の衝突時に相対速度が極力大きくなり、なおかつ多方向に反射するような形状を取ることによってより細かい水滴に破砕することが可能になる。
【００７５】
また、本実施例においてはエリミネータ１７を通過する水滴径を１０μｍ以下としたが、水滴径１００μｍ以下の水滴径であればよく、エリミネータ１７を通過し、浴室内に供給される水滴径は入浴者が水滴感を感じることなく入浴できる程度の水滴径であることが望ましく、一般的には１０μｍ以下程度の水滴径とすることでほとんどの人が水滴感を感じることなく入浴を行うことができる。
【００７６】
また、本実施の形態において熱交換手段としてプレート熱交換器５を用いたが、効率良く双方の熱交換ができるのであれば他の手段を用いても問題は無く、二重管式やシェルチューブ式の熱交換器等を用いてもその作用効果に差異を生じない。
【００７７】
また、本実施の形態においては液体供給手段として、上水道をそのまま配管で連結して用いているが、水圧の増大を図りたい場合にはポンプ等により圧力を高めて供給しても問題なく、その作用効果に差異を生じない。
【００７８】
また、本実施の形態においては加熱用温水循環回路２１及び加湿用温水循環回路２２の開閉手段として熱動弁２５を用いたが、何らかの制御手段を用いて回路を開閉できるのであれば他の手段を用いても問題は無く、電磁弁２６等を用いてもその作用効果に差異を生じない。なお望ましくは制御装置９による温湿度の制御が可能な流量調節弁であり且つ制御信号に対する応答性の良いものが好ましい。
【００７９】
また、本実施の形態においては給水経路２３の開閉手段として電磁弁２６を用いたが、何らかの制御手段を用いて回路を開閉できるのであれば他の手段を用いても全く問題は無く、熱動弁２５等を用いてもその作用効果に差異を生じない。なお望ましくは制御装置９による温湿度の制御が可能な流量調節弁であり且つ制御信号に対する応答性の良いものが好ましい。
【００８０】
（実施の形態２）
以下、本発明の実施の形態２について図面を参照しながら説明する。なお、従来の例と同一部分については同一の符号を用い、詳細な説明は省略する。
【００８１】
まず本発明における浴室サウナ装置の概略構成について説明する。
【００８２】
図１は本発明の実施の形態における浴室サウナ装置の概略構成を示す簡易的な分解図である。図１に示すように、この浴室サウナ装置１は外郭を形成する外装体２及びフロントパネル３、浴室内の空気を吸込み加熱加湿した後に再び浴室内に吹出すサウナモジュール４、プレート熱交換器５を含む熱供給部６、外装体２の一面に設けられ、送風路と連通する開口部７に接続された換気ユニット８、またこれらを制御する制御装置９から構成されている。以下にそれぞれの具体的な構成について記す。
【００８３】
図２に示すように外装体２の浴室側一面を形成するフロントパネル３は、浴室内の空気を吸込むための吸込口１０３、加熱及び加湿した空気を浴室サウナ装置１の外部に吹出すための吹出口１０２を備えている。また、吸込口１０３のサウナモジュール４側にはフィルタ１０を備えており、浴室内空気を循環させる際に微細な塵や埃の侵入を防止する構造となっている。また、吹出口１０２部には加熱加湿された空気の吹出方向を可変させるためのルーバ１１が設けられており、ルーバ１１は制御装置９に接続されたルーバ駆動用モータ１２により自在に稼動することで任意の方向に吹出方向を可変させることができる。
【００８４】
図３に示すようにサウナモジュール４内には、フロントパネル３の吸込口１０３および吹出口１０２を連結する送風路１０４が設けられており、送風路１０４の吸込口１０３側に備えられた、制御装置９により回転数を自在に変更可能なモータ１３に接続された送風手段としてのクロスフローファン１０７が回転することでサウナモジュール４内に空気を送風する。クロスフローファン１０７の上流側には加熱手段としての空気加熱用の熱交換器であるコイル１４を備えており、このコイル１４に熱供給部６より温水を供給することでコイル１４を通って浴室から流入する空気が加温され、高温の空気を送風することが可能となる。送風路１０４内のクロスフローファン１０７の下流側には加湿部１５が設けられている。加湿部１５に設けられた加湿手段としての噴出ノズル１０５に熱供給部６より温水（例えば４０〜８０℃）を供給し、供給された温水を噴出ノズル１０５から微細な水滴として噴霧する。本実施の形態においては、送風路１０４を送風方向が概略鉛直下方に通風するように構成し、噴出ノズル１０５を噴出ノズル１０５から噴霧する温水の噴霧方向が概略鉛直上方になるように設置している。ここでの概略鉛直下方及び上方とは、それぞれ鉛直方向に対して４５°以内であることを意味する。噴出ノズル１０５より噴出された水滴はより大きなエネルギーを得ることによってより小さな水滴へと分離していく。本実施の形態のような送風路１０４を通過する空気と噴出ノズル１０５から噴霧される水滴が対向する設置方向をとる場合、空気と水滴の相対速度が高まることで水滴の持つエネルギーが増大し、より微細な水滴へと分離することが可能となる。また、空気と水滴を対向させることにより熱交換率も高くなり、且つ微細な水滴に破砕したために水滴の表面積も増大するため、水滴が蒸発しやすくなり、加湿量を増加させやすくなる。この時、噴霧方向前方に噴霧水滴破砕手段１６を設け、噴霧された水滴を噴霧水滴破砕手段１６を用いてさらに微細な形状へと変化させる。ここで微細な水滴（例えば水滴径１００μｍ以下）に関しては送風する空気とともに吹出口１０２に運ばれ浴室内を加湿し、微細な水滴に破砕することができなかった水滴に関しては、排水部１１２へと向かう。送風空気とともに運ばれる微細な水滴の中でも、比較的水滴径が大なる水滴（例えば水滴径１０〜１００μｍ）に関しては加湿部１５の吹出口１０２側に設けられたエリミネータ１７で回収され、排水部１１２へと向かう。エリミネータ１７を通過した微細な水滴（水滴径１０μｍ以下）はコイル１４により加熱された空気とともに吹出口１０２より浴室に供給され、浴室内を加熱加湿する。エリミネータ１７は粗いメッシュ状の素材で構成されており、従来の通気案内板１１３を用いた蛇行風路のような大掛かりな構成を必要とせず、且つ圧力損失も比較的小さくできる。排水部１１２に向かった水分は排水部１１２に連結されている排水管１８を通り装置外部に排水される。排水部１１２は加湿部１５の最下部に設けられるとともに、底面に排水管接続部が最下端となるように勾配を持たせており、加湿部内に余剰水を滞留させないようにしてある。この際、底面の排水勾配は角度が大きければ大きいほど良いが、望まし���は５°以上の勾配を確保することによって、加湿部内の余剰水を確実に排水することが可能となる。これと同様に、装置外部に接続される排水管１８も同等の５°以上の勾配を確保して設置することで装置内への余剰水の滞留を防止することができる。また、排水部１１２にはフロートスイッチ１９を備えており、排水部１１２の水位上昇を検知し、所定の水位を超えた場合には制御装置９が噴出ノズル１０５への給水を停止することで加湿部１５からの漏水を防止する。
【００８５】
図５に示す熱供給部６において、熱源より供給された循環温水は、分岐部２０により加熱用温水循環回路２１と加湿用温水循環回路２２の二つの経路に分岐される。加熱用温水循環回路２１はコイル１４に接続されコイル１４を加温する。コイル１４は図６に示すように、加熱用温水循環回路２１から供給された加熱用循環温水を流通させる通水管２７と、通水管２７外壁部に設けられた伝熱用フィン２８から構成され、通水管２７内を流通する高温の加熱用循環温水により伝熱用フィン２８を加熱し、伝熱用フィン２８部に空気を流通させることで空気と熱交換を行い空気を加熱する。加湿用温水循環回路２２はプレート熱交換器５に接続されプレート熱交換器５を加温する。プレート熱交換器５は図７に示すように、伝熱壁２９によって遮られた高温側経路３０と低温側経路３１の２つの経路を交互に配置して構成され、加湿用循環温水を高温側経路３０に流通させるとともに低温側経路３１に加湿に使用する加湿水を対向する方向に流通させることで伝熱壁２９を通じて熱交換を行い低温側の液体を加熱する。コイル１４及びプレート熱交換器５を出た循環温水は再び加熱用温水循環回路２１及び加湿用温水循環回路２２を経て、合流部２４へと流入し、一つの経路に合流した循環温水は熱源へと戻り、再び加熱されて供給を繰り返す。液体供給手段より供給された水道水は、給水経路２３を通りプレート熱交換器５の低温側経路３１に接続する。プレート熱交換器５を出た水道水は再び給水経路２３を経て噴出ノズル１０５へと流入する。熱交換し高温となった給水経路２３の水道水は噴出ノズル１０５から噴霧され微細な温水滴となり、加温された浴室内空気とともに浴室内に吹出する。加熱用温水循環回路２１を経てコイル１４に流入した温水は、コイル１４内部においてクロスフローファン１０７により送風路１０４を通風する浴室内空気と熱交換を行う。熱交換し高温となった浴室内空気を浴室に再び吹出することで、浴室内を加温する。また、加熱用温水循環回路２１および加湿用温水循環回路２２の２つの流路には流通を遮断するための熱動弁２５を設け、コイル１４及びプレート熱交換器５に流入する循環温水の流量を調節することで、加熱及び加湿量を変更可能にする。熱動弁２５とは電力を供給することで弁体に連結された弁支持体の温度を上昇させ、弁支持体を膨張変形させることで弁の開閉を行う方式の弁である。また、給水経路２３上のプレート熱交換器５上流側には電磁弁２６を設け、給水を開閉制御することで加湿水の供給量を変更可能にする。電磁弁２６とは電気信号により電磁力を利用した弁が開閉する方式の弁である。
【００８６】
図８に示す換気ユニット８は、浴室内空気を換気ユニット８に吸込むための換気用ファン３２と空気の排気経路である排気ダクト３３から構成されており、外装体２の一面に設けられた開口部７と開口部７の開口面積を可変させるためのダンパ３４を介して接続している。ダンパ３４は通常サウナ運転時には閉じられているが、制御装置９に接続されたダンパ駆動用モータ３５により開閉可能であり、換気用ファン３２を回転させるとともにダンパ３４を開くことで浴室内空気を吸込口１０３より換気ユニット８内に通風し、排気ダクト３３より吹出することで浴室内の換気を行う。換気量の調整はダンパ３４の開口面積の変更及び換気用ファン３２の回転数制御により行い、これらの組み合わせにより必要とする換気量を実現する。
【００８７】
サウナ運転を開始すると、サウナモジュール４内のモータ１３が作動することでクロスフローファン１０７が回転し、吸込口１０３より浴室内の空気を吸入し、送風路１０４を通り吹出口１０２から再び浴室内に流出することで浴室内空気を循環する。その時、加熱用温水循環回路２１および加湿用温水循環回路２２の開閉手段である熱動弁２５、及び給水経路２３の開閉手段である電磁弁２６が開かれ、装置内において加熱及び加湿が開始する。この際、フロントパネル３に設けてあるルーバ１１が開放し、加熱加湿された空気の吹出方向を制御する。ある程度時間経過し、浴室内の温湿度が所定の値に達したら、モータ１３の回転数を変更し、加熱及び加湿量を変更する。その後、更にある程度時間経過し浴室内の温湿度が所定の値を超えたら、浴室内の温湿度を調節するためにモータ１３の回転数を変更し、加熱用温水循環回路２１及び加湿用温水循環回路２２に備えられた熱動弁２５及び給水経路２３に設けられた電磁弁２６の開閉繰り返すことで浴室内の温湿度の制御を行う。サウナ運転停止時には、サウナモジュール４内モータ１３の運転を停止し、加熱用温水循環回路２１及び加湿用温水循環回路２２に備えられた熱動弁２５及び給水経路２３に設けられた電磁弁２６を閉じる。その後、浴室内の乾燥のために換気運転を行うため、外装体２と換気ユニット８の連結部に設けられたダンパ３４を開き、換気ユニット８内の換気用ファン３２を回転させることで浴室サウナ装置１の吸込口１０３より流入した浴室内空気を排気ダクト３３より浴室外へと排出する。
【００８８】
前述したような動作を実施することでサウナ対象室（浴室）内は高温高湿（４０℃／８０％程度）の状態となり、入浴者に発汗を促す程度のミストサウナ状態とすることが可能となる。また、本実施の形態の様な構成で加湿部１５を形成することにより、従来の蛇行風路の様な大掛かりな構成を組まなくとも、送風路１０４内で大径な水滴は回収し、比較的小径な水滴のみを浴室内に吹出すことが可能となる。
【００８９】
なお、本実施の形態においてはサウナ対象室を浴室として説明をしたが、高湿度空間になった場合の結露等の問題を解決できるのであれば浴室に限定するものではなく、サウナ専用の空間を別途設ける構成としてもその作用効果に差異を生じない。
【００９０】
また、本実施の形態においてのクロスフローファン１０７を駆動するモータ１３は制御装置９により回転数を自在に変更可能なモータ１３を用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【００９１】
また、本実施の形態においてはクロスフローファン１０７を用いて送風路１０４内に浴室内の空気を送風したが、風量や消費電力、騒音や振動等の条件を満足するのであればシロッコファン、ターボファン、プロペラファンなどの別方式のファンであっても問題なく、その作用効果に差異を生じない。
【００９２】
また、本実施の形態においては送風空気を加温する手段としてフィンチューブ式のコイル１４を用いたが、送風空気を充分に加温できるのであれば他の加温手段を用いても全く問題は無く、クロスフローファン１０７の前方にヒータ、その他の熱源体を用いても、その作用効果に差異を生じない。
【００９３】
また、本実施の形態においては加湿部１５において温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるように噴出ノズル１０５より噴出する加湿水の温度を適宜設定することが望ましい。
【００９４】
また、本実施の形態において噴霧水滴破砕手段１６は特に説明はしなかったが噴霧後の微細水滴をさらに細かく破砕するための手段であり、噴出ノズル１０５から噴霧された推進力を持った微細な水滴を回転体や形状を凸凹にした壁面、また材質を考慮した壁面に水滴を噴霧する方法により水滴を細かく破砕する手段であれば良く、その形状や材質等を限定するものではない。なお望ましくは、噴霧水破砕手段への水滴の衝突時に相対速度が極力大きくなり、なおかつ多方向に反射するような形状を取ることによってより細かい水滴に破砕することが可能になる。
【００９５】
また、本実施例においてはエリミネータ１７を通過する水滴径を１０μｍ以下としたが、水滴径１００μｍ以下の水滴径であればよく、エリミネータ１７を通過し、浴室内に供給される水滴径は入浴者が水滴感を感じることなく入浴できる程度の水滴径であることが望ましく、一般的には１０μｍ以下程度の水滴径とすることでほとんどの人が水滴感を感じることなく入浴を行うことができる。
【００９６】
また、本実施の形態において熱交換手段としてプレート熱交換器５を用いたが、効率良く双方の熱交換ができるのであれば他の手段を用いても問題は無く、二重管式やシェルチューブ式の熱交換器等を用いてもその作用効果に差異を生じない。
【００９７】
また、本実施の形態においては液体供給手段として、上水道をそのまま配管で連結して用いているが、水圧の増大を図りたい場合にはポンプ等により圧力を高めて供給しても問題なく、その作用効果に差異を生じない。
【００９８】
また、本実施の形態においては加熱用温水循環回路２１及び加湿用温水循環回路２２の開閉手段として熱動弁２５を用いたが、何らかの制御手段を用いて回路を開閉できるのであれば他の手段を用いても問題は無く、電磁弁２６等を用いてもその作用効果に差異を生じない。なお望ましくは制御装置９による温湿度の制御が可能な流量調節弁であり且つ制御信号に対する応答性の良いものが好ましい。
【００９９】
また、本実施の形態においては給水経路２３の開閉手段として電磁弁２６を用いたが、何らかの制御手段を用いて回路を開閉できるのであれば他の手段を用いても全く問題は無く、熱動弁２５等を用いてもその作用効果に差異を生じない。なお望ましくは制御装置９による温湿度の制御が可能な流量調節弁であり且つ制御信号に対する応答性の良いものが好ましい。
【０１００】
（実施の形態３）
以下、本発明の実施の形態３について図面を参照しながら説明する。なお、従来の例と同一部分については同一の符号を用い、詳細な説明は省略する。
【０１０１】
まず本発明における浴室サウナ装置の概略構成について説明する。
【０１０２】
図１は本発明の実施の形態における浴室サウナ装置の概略構成を示す簡易的な分解図である。図１に示すように、この浴室サウナ装置１は外郭を形成する外装体２及びフロントパネル３、浴室内の空気を吸込み加熱加湿した後に再び浴室内に吹出すサウナモジュール４、プレート熱交換器５を含む熱供給部６、外装体２の一面に設けられ、送風路と連通する開口部７に接続された換気ユニット８、またこれらを制御する制御装置９から構成されている。以下にそれぞれの具体的な構成について記す。
【０１０３】
図２に示すように外装体２の浴室側一面を形成するフロントパネル３は、浴室内の空気を吸込むための吸込口１０３、加熱及び加湿した空気を浴室サウナ装置１の外部に吹出すための吹出口１０２を備えている。また、吸込口１０３のサウナモジュール４側にはフィルタ１０を備えており、浴室内空気を循環させる際に微細な塵や埃の侵入を防止する構造となっている。また、吹出口１０２部には加熱加湿された空気の吹出方向を可変させるためのルーバ１１が設けられており、ルーバ１１は制御装置９に接続されたルーバ駆動用モータ１２により自在に稼動することで任意の方向に吹出方向を可変させることができる。
【０１０４】
図３に示すようにサウナモジュール４内には、フロントパネル３の吸込口１０３および吹出口１０２を連結する送風路１０４が設けられており、送風路１０４の吸込口１０３側に備えられた、制御装置９により回転数を自在に変更可能なモータ１３に接続された送風手段としてのクロスフローファン１０７が回転することでサウナモジュール４内に空気を送風する。クロスフローファン１０７の上流側には加熱手段としての空気加熱用の熱交換器であるコイル１４を備えており、このコイル１４に熱供給部６より温水を供給することでコイル１４を通って浴室から流入する空気が加温され、高温の空気を送風することが可能となる。送風路１０４内のクロスフローファン１０７の下流側には加湿部１５が設けられている。加湿部１５に設けられた加湿手段としての噴出ノズル１０５に熱供給部６より温水（例えば４０〜８０℃）を供給し、供給された温水を噴出ノズル１０５から微細な水滴として噴霧する。本実施の形態においては、送風路１０４を送風方向が概略鉛直上方に通風するように構成し、噴出ノズル１０５を噴出ノズル１０５から噴霧する温水の噴霧方向が概略鉛直上方になるように設置している。ここでの概略鉛直上方とは、鉛直方向に対して４５°以内であることを意味する。この設置方向によると、噴霧された水滴の移動方向が大きく変化しないため、噴出ノズル１０５から噴霧された微細な水滴同士が近接し合わずに送風路１０４を移動し、個々の水滴を再接触させることなく吹出口１０２まで運ぶことができるため、微細形状を維持したまま吹出すことが可能となる。また、大径な水滴は重力により送風路１０４内の空気の送風方向に逆らい概略鉛直下方向に落下し排水部１１２へと向かうため、ある程度微細な水滴のみを吹出口１０２より噴出することができる。この時、噴霧方向前方に噴霧水滴破砕手段１６を設け、噴霧された水滴を噴霧水滴破砕手段１６を用いてさらに微細な形状へと変化させる。ここで微細な水滴（例えば水滴径１００μｍ以下）に関しては送風する空気とともに吹出口１０２に運ばれ浴室内を加湿し、微細な水滴に破砕することができなかった水滴に関しては、排水部１１２へと向かう。送風空気とともに運ばれる微細な水滴の中でも、比較的水滴径が大なる水滴（例えば水滴径１０〜１００μｍ）に関しては加湿部１５の吹出口１０２側に設けられたエリミネータ１７で回収され、排水部１１２へと向かう。エリミネータ１７を通過した微細な水滴（水滴径１０μｍ以下）はコイル１４により加熱された空気とともに吹出口１０２より浴室に供給され、浴室内を加熱加湿する。エリミネータ１７は粗いメッシュ状の素材で構成されており、従来の通気案内板１１３を用いた蛇行風路のような大掛かりな構成を必要とせず、且つ圧力損失も比較的小さくできる。排水部１１２に向かった水分は排水部１１２に連結されている排水管１８を通り装置外部に排水される。排水部１１２は加湿部１５の最下部に設けられるとともに、底面に排水管接続部が最下端となるように勾配を持たせており、加湿部内に余剰水を滞留させないようにしてある。この際、底面の排水勾配は角度が大きければ大きいほど良いが、望ましくは５°以上の勾配を確保することによって、加湿部内の余剰水を確実��排水することが可能となる。これと同様に、装置外部に接続される排水管１８も同等の５°以上の勾配を確保して設置することで装置内への余剰水の滞留を防止することができる。また、排水部１１２にはフロートスイッチ１９を備えており、排水部１１２の水位上昇を検知し、所定の水位を超えた場合には制御装置９が噴出ノズル１０５への給水を停止することで加湿部１５からの漏水を防止する。
【０１０５】
図５に示す熱供給部６において、熱源より供給された循環温水は、分岐部２０により加熱用温水循環回路２１と加湿用温水循環回路２２の二つの経路に分岐される。加熱用温水循環回路２１はコイル１４に接続されコイル１４を加温する。コイル１４は図６に示すように、加熱用温水循環回路２１から供給された加熱用循環温水を流通させる通水管２７と、通水管２７外壁部に設けられた伝熱用フィン２８から構成され、通水管２７内を流通する高温の加熱用循環温水により伝熱用フィン２８を加熱し、伝熱用フィン２８部に空気を流通させることで空気と熱交換を行い空気を加熱する。加湿用温水循環回路２２はプレート熱交換器５に接続されプレート熱交換器５を加温する。プレート熱交換器５は図７に示すように、伝熱壁２９によって遮られた高温側経路３０と低温側経路３１の２つの経路を交互に配置して構成され、加湿用循環温水を高温側経路３０に流通させるとともに低温側経路３１に加湿に使用する加湿水を対向する方向に流通させることで伝熱壁２９を通じて熱交換を行い低温側の液体を加熱する。コイル１４及びプレート熱交換器５を出た循環温水は再び加熱用温水循環回路２１及び加湿用温水循環回路２２を経て、合流部２４へと流入し、一つの経路に合流した循環温水は熱源へと戻り、再び加熱されて供給を繰り返す。液体供給手段より供給された水道水は、給水経路２３を通りプレート熱交換器５の低温側経路３１に接続する。プレート熱交換器５を出た水道水は再び給水経路２３を経て噴出ノズル１０５へと流入する。熱交換し高温となった給水経路２３の水道水は噴出ノズル１０５から噴霧され微細な温水滴となり、加温された浴室内空気とともに浴室内に吹出する。加熱用温水循環回路２１を経てコイル１４に流入した温水は、コイル１４内部においてクロスフローファン１０７により送風路１０４を通風する浴室内空気と熱交換を行う。熱交換し高温となった浴室内空気を浴室に再び吹出することで、浴室内を加温する。また、加熱用温水循環回路２１および加湿用温水循環回路２２の２つの流路には流通を遮断するための熱動弁２５を設け、コイル１４及びプレート熱交換器５に流入する循環温水の流量を調節することで、加熱及び加湿量を変更可能にする。熱動弁２５とは電力を供給することで弁体に連結された弁支持体の温度を上昇させ、弁支持体を膨張変形させることで弁の開閉を行う方式の弁である。また、給水経路２３上のプレート熱交換器５上流側には電磁弁２６を設け、給水を開閉制御することで加湿水の供給量を変更可能にする。電磁弁２６とは電気信号により電磁力を利用した弁が開閉する方式の弁である。
【０１０６】
図８に示す換気ユニット８は、浴室内空気を換気ユニット８に吸込むための換気用ファン３２と空気の排気経路である排気ダクト３３から構成されており、外装体２の一面に設けられた開口部７と開口部７の開口面積を可変させるためのダンパ３４を介して接続している。ダンパ３４は通常サウナ運転時には閉じられているが、制御装置９に接続されたダンパ駆動用モータ３５により開閉可能であり、換気用ファン３２を回転させるとともにダンパ３４を開くことで浴室内空気を吸込口１０３より換気ユニット８内に通風し、排気ダクト３３より吹出することで浴室内の換気を行う。換気量の調整はダンパ３４の開口面積の変更及び換気用ファン３２の回転数制御により行い、これらの組み合わせにより必要とする換気量を実現する。
【０１０７】
サウナ運転を開始すると、サウナモジュール４内のモータ１３が作動することでクロスフローファン１０７が回転し、吸込口１０３より浴室内の空気を吸入し、送風路１０４を通り吹出口１０２から再び浴室内に流出することで浴室内空気を循環する。その時、加熱用温水循環回路２１および加湿用温水循環回路２２の開閉手段である熱動弁２５、及び給水経路２３の開閉手段である電磁弁２６が開かれ、装置内において加熱及び加湿が開始する。この際、フロントパネル３に設けてあるルーバ１１が開放し、加熱加湿された空気の吹出方向を制御する。ある程度時間経過し、浴室内の温湿度が所定の値に達したら、モータ１３の回転数を変更し、加熱及び加湿量を変更する。その後、更にある程度時間経過し浴室内の温湿度が所定の値を超えたら、浴室内の温湿度を調節するためにモータ１３の回転数を変更し、加熱用温水循環回路２１及び加湿用温水循環回路２２に備えられた熱動弁２５及び給水経路２３に設けられた電磁弁２６の開閉繰り返すことで浴室内の温湿度の制御を行う。サウナ運転停止時には、サウナモジュール４内モータ１３の運転を停止し、加熱用温水循環回路２１及び加湿用温水循環回路２２に備えられた熱動弁２５及び給水経路２３に設けられた電磁弁２６を閉じる。その後、浴室内の乾燥のために換気運転を行うため、外装体２と換気ユニット８の連結部に設けられたダンパ３４を開き、換気ユニット８内の換気用ファン３２を回転させることで浴室サウナ装置１の吸込口１０３より流入した浴室内空気を排気ダクト３３より浴室外へと排出する。
【０１０８】
前述したような動作を実施することでサウナ対象室（浴室）内は高温高湿（４０℃／８０％程度）の状態となり、入浴者に発汗を促す程度のミストサウナ状態とすることが可能となる。また、本実施の形態の様な構成で加湿部１５を形成することにより、従来の蛇行風路の様な大掛かりな構成を組まなくとも、送風路１０４内で大径な水滴は回収し、比較的小径な水滴のみを浴室内に吹出すことが可能となる。
【０１０９】
なお、本実施の形態においてはサウナ対象室を浴室として説明をしたが、高湿度空間になった場合の結露等の問題を解決できるのであれば浴室に限定するものではなく、サウナ専用の空間を別途設ける構成としてもその作用効果に差異を生じない。
【０１１０】
また、本実施の形態においてのクロスフローファン１０７を駆動するモータ１３は制御装置９により回転数を自在に変更可能なモータ１３を用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【０１１１】
また、本実施の形態においてはクロスフローファン１０７を用いて送風路１０４内に浴室内の空気を送風したが、風量や消費電力、騒音や振動等の条件を満足するのであればシロッコファン、ターボファン、プロペラファンなどの別方式のファンであっても問題なく、その作用効果に差異を生じない。
【０１１２】
また、本実施の形態においては送風空気を加温する手段としてフィンチューブ式のコイル１４を用いたが、送風空気を充分に加温できるのであれば他の加温手段を用いても全く問題は無く、クロスフローファン１０７の前方にヒータ、その他の熱源体を用いても、その作用効果に差異を生じない。
【０１１３】
また、本実施の形態においては加湿部１５において温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるように噴出ノズル１０５より噴出する加湿水の温度を適宜設定することが望ましい。
【０１１４】
また、本実施の形態において噴霧水滴破砕手段１６は特に説明はしなかったが噴霧後の微細水滴をさらに細かく破砕するための手段であり、噴出ノズル１０５から噴霧された推進力を持った微細な水滴を回転体や形状を凸凹にした壁面、また材質を考慮した壁面に水滴を噴霧する方法により水滴を細かく破砕する手段であれば良く、その形状や材質等を限定するものではない。なお望ましくは、噴霧水破砕手段への水滴の衝突時に相対速度が極力大きくなり、なおかつ多方向に反射するような形状を取ることによってより細かい水滴に破砕することが可能になる。
【０１１５】
また、本実施例においてはエリミネータ１７を通過する水滴径を１０μｍ以下としたが、水滴径１００μｍ以下の水滴径であればよく、エリミネータ１７を通過し、浴室内に供給される水滴径は入浴者が水滴感を感じることなく入浴できる程度の水滴径であることが望ましく、一般的には１０μｍ以下程度の水滴径とすることでほとんどの人が水滴感を感じることなく入浴を行うことができる。
【０１１６】
また、本実施の形態において熱交換手段としてプレート熱交換器５を用いたが、効率良く双方の熱交換ができるのであれば他の手段を用いても問題は無く、二重管式やシェルチューブ式の熱交換器等を用いてもその作用効果に差異を生じない。
【０１１７】
また、本実施の形態においては液体供給手段として、上水道をそのまま配管で連結して用いているが、水圧の増大を図りたい場合にはポンプ等により圧力を高めて供給しても問題なく、その作用効果に差異を生じない。
【０１１８】
また、本実施の形態においては加熱用温水循環回路２１及び加湿用温水循環回路２２の開閉手段として熱動弁２５を用いたが、何らかの制御手段を用いて回路を開閉できるのであれば他の手段を用いても問題は無く、電磁弁２６等を用いてもその作用効果に差異を生じない。なお望ましくは制御装置９による温湿度の制御が可能な流量調節弁であり且つ制御信号に対する応答性の良いものが好ましい。
【０１１９】
また、本実施の形態においては給水経路２３の開閉手段として電磁弁２６を用いたが、何らかの制御手段を用いて回路を開閉できるのであれば他の手段を用いても全く問題は無く、熱動弁２５等を用いてもその作用効果に差異を生じない。なお望ましくは制御装置９による温湿度の制御が可能な流量調節弁であり且つ制御信号に対する応答性の良いものが好ましい。
【０１２０】
（実施の形態４）
以下、本発明の実施の形態４について図面を参照しながら説明する。なお、従来の例と同一部分については同一の符号を用い、詳細な説明は省略する。
【０１２１】
まず本発明における浴室サウナ装置の概略構成について説明する。
【０１２２】
図１は本発明の実施の形態における浴室サウナ装置の概略構成を示す簡易的な分解図である。図１に示すように、この浴室サウナ装置１は外郭を形成する外装体２及びフロントパネル３、浴室内の空気を吸込み加熱加湿した後に再び浴室内に吹出すサウナモジュール４、プレート熱交換器５を含む熱供給部６、外装体２の一面に設けられ、送風路と連通する開口部７に接続された換気ユニット８、またこれらを制御する制御装置９から構成されている。以下にそれぞれの具体的な構成について記す。
【０１２３】
図２に示すように外装体２の浴室側一面を形成するフロントパネル３は、浴室内の空気を吸込むための吸込口１０３、加熱及び加湿した空気を浴室サウナ装置１の外部に吹出すための吹出口１０２を備えている。また、吸込口１０３のサウナモジュール４側にはフィルタ１０を備えており、浴室内空気を循環させる際に微細な塵や埃の侵入を防止する構造となっている。また、吹出口１０２部には加熱加湿された空気の吹出方向を可変させるためのルーバ１１が設けられており、ルーバ１１は制御装置９に接続されたルーバ駆動用モータ１２により自在に稼動することで任意の方向に吹出方向を可変させることができる。
【０１２４】
図３に示すようにサウナモジュール４内には、フロントパネル３の吸込口１０３および吹出口１０２を連結する送風路１０４が設けられており、送風路１０４の吸込口１０３側に備えられた、制御装置９により回転数を自在に変更可能なモータ１３に接続された送風手段としてのクロスフローファン１０７が回転することでサウナモジュール４内に空気を送風する。クロスフローファン１０７の上流側には加熱手段としての空気加熱用の熱交換器であるコイル１４を備えており、このコイル１４に熱供給部６より温水を供給することでコイル１４を通って浴室から流入する空気が加温され、高温の空気を送風することが可能となる。送風路１０４内のクロスフローファン１０７の下流側には加湿部１５が設けられている。加湿部１５に設けられた加湿手段としての噴出ノズル１０５に熱供給部６より温水（例えば４０〜８０℃）を供給し、供給された温水を噴出ノズル１０５から微細な水滴として噴霧する。本実施の形態においては、送風路１０４を送風方向が概略鉛直上方に通風するように構成し、噴出ノズル１０５を噴出ノズル１０５から噴霧する温水の噴霧方向が概略鉛直下方になるように設置している。ここでの概略鉛直上方及び下方とは、それぞれ鉛直方向に対して４５°以内であることを意味する。噴出ノズル１０５より噴出された水滴はより大きなエネルギーを得ることによってより小さな水滴へと分離していく。本実施の形態のような送風路１０４を通過する空気と噴出ノズル１０５から噴霧される水滴が対向する設置方向をとる場合、空気と水滴の相対速度が高まることで水滴の持つエネルギーが増大し、より微細な水滴へと分離することが可能となる。また、空気と水滴を対向させることにより熱交換率も高くなり、且つ微細な水滴に破砕したために水滴の表面積も増大するため、水滴が蒸発しやすくなり、加湿量を増加させやすくなる。また、大径な水滴は重力により送風路１０４内の空気の送風方向に逆らい概略鉛直下方向に落下し排水部１１２へと向かうため、ある程度微細な水滴のみを吹出口１０２より噴出することができる。この時、噴霧方向前方に噴霧水滴破砕手段１６を設け、噴霧された水滴を噴霧水滴破砕手段１６を用いてさらに微細な形状へと変化させる。ここで微細な水滴（例えば水滴径１００μｍ以下）に関しては送風する空気とともに吹出口１０２に運ばれ浴室内を加湿し、微細な水滴に破砕することができなかった水滴に関しては、排水部１１２へと向かう。送風空気とともに運ばれる微細な水滴の中でも、比較的水滴径が大なる水滴（例えば水滴径１０〜１００μｍ）に関しては加湿部１５の吹出口１０２側に設けられたエリミネータ１７で回収され、排水部１１２へと向かう。エリミネータ１７を通過した微細な水滴（水滴径１０μｍ以下）はコイル１４により加熱された空気とともに吹出口１０２より浴室に供給され、浴室内を加熱加湿する。エリミネータ１７は粗いメッシュ状の素材で構成されており、従来の通気案内板１１３を用いた蛇行風路のような大掛かりな構成を必要とせず、且つ圧力損失も比較的小さくできる。排水部１１２に向かった水分は排水部１１２に連結されている排水管１８を通り装置外部に排水される。排水部１１２は加湿部１５の最下部に設けられる���ともに、底面に排水管接続部が最下端となるように勾配を持たせており、加湿部内に余剰水を滞留させないようにしてある。この際、底面の排水勾配は角度が大きければ大きいほど良いが、望ましくは５°以上の勾配を確保することによって、加湿部内の余剰水を確実に排水することが可能となる。これと同様に、装置外部に接続される排水管１８も同等の５°以上の勾配を確保して設置することで装置内への余剰水の滞留を防止することができる。また、排水部１１２にはフロートスイッチ１９を備えており、排水部１１２の水位上昇を検知し、所定の水位を超えた場合には制御装置９が噴出ノズル１０５への給水を停止することで加湿部１５からの漏水を防止する。
【０１２５】
図５に示す熱供給部６において、熱源より供給された循環温水は、分岐部２０により加熱用温水循環回路２１と加湿用温水循環回路２２の二つの経路に分岐される。加熱用温水循環回路２１はコイル１４に接続されコイル１４を加温する。コイル１４は図６に示すように、加熱用温水循環回路２１から供給された加熱用循環温水を流通させる通水管２７と、通水管２７外壁部に設けられた伝熱用フィン２８から構成され、通水管２７内を流通する高温の加熱用循環温水により伝熱用フィン２８を加熱し、伝熱用フィン２８部に空気を流通させることで空気と熱交換を行い空気を加熱する。加湿用温水循環回路２２はプレート熱交換器５に接続されプレート熱交換器５を加温する。プレート熱交換器５は図７に示すように、伝熱壁２９によって遮られた高温側経路３０と低温側経路３１の２つの経路を交互に配置して構成され、加湿用循環温水を高温側経路３０に流通させるとともに低温側経路３１に加湿に使用する加湿水を対向する方向に流通させることで伝熱壁２９を通じて熱交換を行い低温側の液体を加熱する。コイル１４及びプレート熱交換器５を出た循環温水は再び加熱用温水循環回路２１及び加湿用温水循環回路２２を経て、合流部２４へと流入し、一つの経路に合流した循環温水は熱源へと戻り、再び加熱されて供給を繰り返す。液体供給手段より供給された水道水は、給水経路２３を通りプレート熱交換器５の低温側経路３１に接続する。プレート熱交換器５を出た水道水は再び給水経路２３を経て噴出ノズル１０５へと流入する。熱交換し高温となった給水経路２３の水道水は噴出ノズル１０５から噴霧され微細な温水滴となり、加温された浴室内空気とともに浴室内に吹出する。加熱用温水循環回路２１を経てコイル１４に流入した温水は、コイル１４内部においてクロスフローファン１０７により送風路１０４を通風する浴室内空気と熱交換を行う。熱交換し高温となった浴室内空気を浴室に再び吹出することで、浴室内を加温する。また、加熱用温水循環回路２１および加湿用温水循環回路２２の２つの流路には流通を遮断するための熱動弁２５を設け、コイル１４及びプレート熱交換器５に流入する循環温水の流量を調節することで、加熱及び加湿量を変更可能にする。熱動弁２５とは電力を供給することで弁体に連結された弁支持体の温度を上昇させ、弁支持体を膨張変形させることで弁の開閉を行う方式の弁である。また、給水経路２３上のプレート熱交換器５上流側には電磁弁２６を設け、給水を開閉制御することで加湿水の供給量を変更可能にする。電磁弁２６とは電気信号により電磁力を利用した弁が開閉する方式の弁である。
【０１２６】
図８に示す換気ユニット８は、浴室内空気を換気ユニット８に吸込むための換気用ファン３２と空気の排気経路である排気ダクト３３から構成されており、外装体２の一面に設けられた開口部７と開口部７の開口面積を可変させるためのダンパ３４を介して接続している。ダンパ３４は通常サウナ運転時には閉じられているが、制御装置９に接続されたダンパ駆動用モータ３５により開閉可能であり、換気用ファン３２を回転させるとともにダンパ３４を開くことで浴室内空気を吸込口１０３より換気ユニット８内に通風し、排気ダクト３３より吹出することで浴室内の換気を行う。換気量の調整はダンパ３４の開口面積の変更及び換気用ファン３２の回転数制御により行い、これらの組み合わせにより必要とする換気量を実現する。
【０１２７】
サウナ運転を開始すると、サウナモジュール４内のモータ１３が作動することでクロスフローファン１０７が回転し、吸込口１０３より浴室内の空気を吸入し、送風路１０４を通り吹出口１０２から再び浴室内に流出することで浴室内空気を循環する。その時、加熱用温水循環回路２１および加湿用温水循環回路２２の開閉手段である熱動弁２５、及び給水経路２３の開閉手段である電磁弁２６が開かれ、装置内において加熱及び加湿が開始する。この際、フロントパネル３に設けてあるルーバ１１が開放し、加熱加湿された空気の吹出方向を制御する。ある程度時間経過し、浴室内の温湿度が所定の値に達したら、モータ１３の回転数を変更し、加熱及び加湿量を変更する。その後、更にある程度時間経過し浴室内の温湿度が所定の値を超えたら、浴室内の温湿度を調節するためにモータ１３の回転数を変更し、加熱用温水循環回路２１及び加湿用温水循環回路２２に備えられた熱動弁２５及び給水経路２３に設けられた電磁弁２６の開閉繰り返すことで浴室内の温湿度の制御を行う。サウナ運転停止時には、サウナモジュール４内モータ１３の運転を停止し、加熱用温水循環回路２１及び加湿用温水循環回路２２に備えられた熱動弁２５及び給水経路２３に設けられた電磁弁２６を閉じる。その後、浴室内の乾燥のために換気運転を行うため、外装体２と換気ユニット８の連結部に設けられたダンパ３４を開き、換気ユニット８内の換気用ファン３２を回転させることで浴室サウナ装置１の吸込口１０３より流入した浴室内空気を排気ダクト３３より浴室外へと排出する。
【０１２８】
前述したような動作を実施することでサウナ対象室（浴室）内は高温高湿（４０℃／８０％程度）の状態となり、入浴者に発汗を促す程度のミストサウナ状態とすることが可能となる。また、本実施の形態の様な構成で加湿部１５を形成することにより、従来の蛇行風路の様な大掛かりな構成を組まなくとも、送風路１０４内で大径な水滴は回収し、比較的小径な水滴のみを浴室内に吹出すことが可能となる。
【０１２９】
なお、本実施の形態においてはサウナ対象室を浴室として説明をしたが、高湿度空間になった場合の結露等の問題を解決できるのであれば浴室に限定するものではなく、サウナ専用の空間を別途設ける構成としてもその作用効果に差異を生じない。
【０１３０】
また、本実施の形態においてのクロスフローファン１０７を駆動するモータ１３は制御装置９により回転数を自在に変更可能なモータ１３を用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【０１３１】
また、本実施の形態においてはクロスフローファン１０７を用いて送風路１０４内に浴室内の空気を送風したが、風量や消費電力、騒音や振動等の条件を満足するのであればシロッコファン、ターボファン、プロペラファンなどの別方式のファンであっても問題なく、その作用効果に差異を生じない。
【０１３２】
また、本実施の形態においては送風空気を加温する手段としてフィンチューブ式のコイル１４を用いたが、送風空気を充分に加温できるのであれば他の加温手段を用いても全く問題は無く、クロスフローファン１０７の前方にヒータ、その他の熱源体を用いても、その作用効果に差異を生じない。
【０１３３】
また、本実施の形態においては加湿部１５において温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるように噴出ノズル１０５より噴出する加湿水の温度を適宜設定することが望ましい。
【０１３４】
また、本実施の形態において噴霧水滴破砕手段１６は特に説明はしなかったが噴霧後の微細水滴をさらに細かく破砕するための手段であり、噴出ノズル１０５から噴霧された推進力を持った微細な水滴を回転体や形状を凸凹にした壁面、また材質を考慮した壁面に水滴を噴霧する方法により水滴を細かく破砕する手段であれば良く、その形状や材質等を限定するものではない。なお望ましくは、噴霧水破砕手段への水滴の衝突時に相対速度が極力大きくなり、なおかつ多方向に反射するような形状を取ることによってより細かい水滴に破砕することが可能になる。
【０１３５】
また、本実施例においてはエリミネータ１７を通過する水滴径を１０μｍ以下としたが、水滴径１００μｍ以下の水滴径であればよく、エリミネータ１７を通過し、浴室内に供給される水滴径は入浴者が水滴感を感じることなく入浴できる程度の水滴径であることが望ましく、一般的には１０μｍ以下程度の水滴径とすることでほとんどの人が水滴感を感じることなく入浴を行うことができる。
【０１３６】
また、本実施の形態において熱交換手段としてプレート熱交換器５を用いたが、効率良く双方の熱交換ができるのであれば他の手段を用いても問題は無く、二重管式やシェルチューブ式の熱交換器等を用いてもその作用効果に差異を生じない。
【０１３７】
また、本実施の形態においては液体供給手段として、上水道をそのまま配管で連結して用いているが、水圧の増大を図りたい場合にはポンプ等により圧力を高めて供給しても問題なく、その作用効果に差異を生じない。
【０１３８】
また、本実施の形態においては加熱用温水循環回路２１及び加湿用温水循環回路２２の開閉手段として熱動弁２５を用いたが、何らかの制御手段を用いて回路を開閉できるのであれば他の手段を用いても問題は無く、電磁弁２６等を用いてもその作用効果に差異を生じない。なお望ましくは制御装置９による温湿度の制御が可能な流量調節弁であり且つ制御信号に対する応答性の良いものが好ましい。
【０１３９】
また、本実施の形態においては給水経路２３の開閉手段として電磁弁２６を用いたが、何らかの制御手段を用いて回路を開閉できるのであれば他の手段を用いても全く問題は無く、熱動弁２５等を用いてもその作用効果に差異を生じない。なお望ましくは制御装置９による温湿度の制御が可能な流量調節弁であり且つ制御信号に対する応答性の良いものが好ましい。
【産業上の利用可能性】
【０１４０】
以上のように本発明にかかる浴室サウナ装置は、水滴感を感じさせること無く充分な加湿を得られるものであり、浴室以外の居室を換気空調する装置と併用することで居室の加温加湿を行う用途にも適用できる。
【図面の簡単な説明】
【０１４１】
【図１】本発明の実施の形態１、２、３、４の浴室サウナ装置概略図
【図２】同フロントパネル概略図
【図３】本発明の実施の形態１の浴室サウナ装置のサウナモジュール部を示す概略図
【図４】本発明の実施の形態１、２、３、４の熱供給部概略図
【図５】同コイル概略図
【図６】同プレート熱交換器概略図
【図７】同換気ユニット概略図
【図８】本発明の実施の形態２の浴室サウナ装置のサウナモジュール部を示す概略図
【図９】本発明の実施の形態３の浴室サウナ装置のサウナモジュール部を示す概略図
【図１０】本発明の実施の形態４の浴室サウナ装置のサウナモジュール部を示す概略図
【図１１】従来の浴室サウナ装置を示す概略図
【符号の説明】
【０１４２】
１      浴室サウナ装置
２      外装体
３      フロントパネル
４      サウナモジュール
５      プレート熱交換器
６      熱供給部
７      開口部
８      換気ユニット
９      制御装置
１０    フィルタ
１１    ルーバ
１２    ルーバ駆動用モータ
１３    モータ
１４    コイル
１５    加湿部
１６    噴霧水滴破砕手段
１７    エリミネータ
１８    排水管
１９    フロートスイッチ
２０    分岐部
２１    加熱用温水循環回路
２２    加湿用温水循環回路
２３    給水経路
２４    合流部
２５    熱動弁
２６    電磁弁
２７    通水管
２８    伝熱用フィン
２９    伝熱壁
３０    高温側経路
３１    低温側経路
３２    換気用ファン
３３    排気ダクト
３４    ダンパ
３５    ダンパ駆動用モータ
１０２  吹出口
１０３  吸込口
１０４  送風路
１０５  噴出ノズル
１０７  クロスフローファン
１１２  排水部
１１３  通気案内板
【図１】
2007089752.tif 000003
【図２】
2007089752.tif 000004
【図３】
2007089752.tif 000005
【図４】
2007089752.tif 000006
【図５】
2007089752.tif 000007
【図６】
2007089752.tif 000008
【図７】
2007089752.tif 000009
【図８】
2007089752.tif 000010
【図９】
2007089752.tif 000011
【図１０】
2007089752.tif 000012
【図１１】
2007089752.tif 000013